(57)【要約】【課題】フィルタ２１が装填される筐体２２が、掃除機本体内で開状態となるのを防ぐ。筐体２２が掃除機本体に適切に係止されていない状態で、電気掃除機が使用されるのを防ぐ。【解決手段】フィルタ２１が装填される筐体を、分離筐体３１と分離筐体４１とで構成する。分離筐体３１には、被係止部３５を設け、分離筐体４１には、被係止部４７を設ける。被係止部３５は、フィルタ装置１２が収容される掃除機本体の係止部にて係止されるものであり、被係止部４７は、掃除機本体の他の係止部にて係止されるものである。また、上記他の係止部に、当該他の係止部が分離筐体４１の被係止部４７の非係止状態に対応する位置にあるときに、掃除機本体の蓋部内面の押圧部と当接して蓋部を開状態にさせる突起部を形成する。【選択図】  図１
2004166892.tif 000002
【特許請求の範囲】
【請求項１】
空気中の塵埃を濾過するためのフィルタと、
上記フィルタが装填される筐体とを備えた集塵装置であって、
上記筐体は、互いに分離可能な第１分離筐体と第２分離筐体とからなり、
上記第１分離筐体および上記第２分離筐体の両方が、当該装置を収容する収容体に係止される被係止部をそれぞれ備えていることを特徴とする集塵装置。
【請求項２】
上記第１分離筐体および上記第２分離筐体は、同一の回動軸にて軸支されており、
上記第１分離筐体および上記第２分離筐体の各被係止部は、当該装置の上記収容体への収容時に、上記第１分離筐体および上記第２分離筐体の相対的な回動により開閉する上記筐体の閉状態で、上記収容体に係止されることを特徴とする請求項１に記載の集塵装置。
【請求項３】
上記第２分離筐体は、上記第１分離筐体に対する固定およびその解除を行う固定解除部を有しており、
上記第２分離筐体の上記被係止部を第２被係止部とすると、上記第２被係止部は、上記固定解除部に設けられていることを特徴とする請求項２に記載の集塵装置。
【請求項４】
上記第２分離筐体は、上記回動軸に軸支される第１の面と、上記フィルタを介して当該第１の面に対向する第２の面とを有しており、
上記固定解除部は、上記第２の面から上記第１分離筐体の壁面に沿って延設されていることを特徴とする請求項３に記載の集塵装置。
【請求項５】
上記第１分離筐体の上記被係止部を第１被係止部とすると、上記第１被係止部は、上記第１分離筐体における上記第２分離筐体との接合側とは反対側の面に沿って平板状で形成されており、
上記第２被係止部は、上記筐体の閉状態で、上記第１被係止部の位置する平面と同一平面上に位置するように、平板状で形成されていることを特徴とする請求項３または４に記載の集塵装置。
【請求項６】
上記第１分離筐体および上記第２分離筐体は、互いの平行移動により離接可能であり、
上記第１分離筐体および上記第２分離筐体の各被係止部は、当該装置の上記収容体への収容時に、上記第１分離筐体および上記第２分離筐体を貼り合わせた状態で、上記収容体に係止されることを特徴とする請求項１に記載の集塵装置。
【請求項７】
上記第２分離筐体は、上記第１分離筐体に対する固定およびその解除を行う固定解除部を複数有しており、
上記第２分離筐体の上記被係止部を第２被係止部とすると、上記第２被係止部は、上記複数の固定解除部にそれぞれ設けられていることを特徴とする請求項６に記載の集塵装置。
【請求項８】
上記第２分離筐体は、上記フィルタを介して互いに対向する２つの面を有しており、
上記各固定解除部は、上記２つの面のそれぞれから、上記第１分離筐体の壁面に沿って延設されていることを特徴とする請求項７に記載の集塵装置。
【請求項９】
上記第１分離筐体における上記被係止部を第１被係止部とすると、上記第１被係止部は、上記第１分離筐体における上記第２分離筐体との接合側とは反対側の面に沿って平板状で形成されており、
上記各固定解除部に設けられた各第２被係止部は、上記筐体の閉状態で、上記第１被係止部の位置する平面と同一平面上に位置するように、平板状で形成されていることを特徴とする請求項７または８に記載の集塵装置。
【請求項１０】
請求項１ないし５のいずれかに記載の集塵装置と、
上記集塵装置を収容する収容体と、
上記収容体に設けられ、上記集塵装置を介して、塵埃を含む空気を吸引する電動送風機とを備え、
上記収容体は、上記集塵装置の第１分離筐体の被係止部を係止する第１係止部と、第２分離筐体の被係止部を係止する第２係止部とを有していることを特徴とする電気掃除機。
【請求項１１】
請求項１、６ないし９のいずれかに記載の集塵装置と、
上記集塵装置を収容する収容体と、
上記収容体に設けられ、上記集塵装置を介して、塵埃を含む空気を吸引する電動送風機とを備え、
上記集塵装置の第１分離筐体の被係止部および第２分離筐体の少なくとも１個の被係止部を同時に係止する第１係止部と、上記第２分離筐体の他の被係止部を係止する第２係止部とを有していることを特徴とする電気掃除機。
【請求項１２】
上記第１係止部は、上記筐体の閉状態で、上記第１分離筐体の被係止部と、これと隣接する位置にある上記第２分離筐体の被係止部とを係止することを特徴とする請求項１１に記載の電気掃除機。
【請求項１３】
上記収容体は、当該収容体に対する上記集塵装置の着脱時に開閉する蓋部をさらに備え、
上記第２係止部は、自身の回動によって、上記第２分離筐体の被係止部の係止およびその解除を行うものであり、
上記蓋部内面には、上記第２係止部が上記第２分離筐体の被係止部を係止する回動位置にあるときに、その係止を解除する回動方向への上記第２係止部の回動を阻止するように、上記収容体に対する上記蓋部の閉状態で上記第２係止部を押圧する押圧部が形成されていることを特徴とする請求項１０ないし１２のいずれかに記載の電気掃除機。
【請求項１４】
上記第２係止部には、当該第２係止部が上記収容体に対する上記集塵装置の非係止状態に対応する回動位置にあるときに、上記押圧部と当接することによって上記蓋部を開状態とさせる突起部が形成されていることを特徴とする請求項１３に記載の電気掃除機。
【請求項１５】
吸引した空気を旋回させ、旋回時に生ずる遠心力によって上記空気中に含まれる塵埃を分離するサイクロン集塵機をさらに備え、
上記電動送風機は、上記サイクロン集塵機および上記集塵装置を介して、塵埃を含む空気を吸引することを特徴とする請求項１０ないし１４のいずれかに記載の電気掃除機。
【請求項１６】
請求項１ないし５のいずれかに記載の集塵装置と、
上記集塵装置を収容する第１の収容体と、
上記第１の収容体と連結され、吸引した空気を旋回させ、旋回時に生ずる遠心力によって上記空気中に含まれる塵埃を分離するサイクロン集塵機と、
上記第１の収容体とは異なる第２の収容体に設けられ、上記サイクロン集塵機および第１の収容体を介して、塵埃を含む空気を吸引する電動送風機とを備え、
上記第１の収容体は、上記集塵装置の第１分離筐体の被係止部を係止する第１係止部と、第２分離筐体の被係止部を係止する第２係止部とを有していることを特徴とする電気掃除機。
【請求項１７】
請求項１、６ないし９のいずれかに記載の集塵装置と、
上記集塵装置を収容する第１の収容体と、
上記第１の収容体と連結され、吸引した空気を旋回させ、旋回時に生ずる遠心力によって上記空気中に含まれる塵埃を分離するサイクロン集塵機と、
上記第１の収容体とは異なる第２の収容体に設けられ、上記サイクロン集塵機および第１の収容体を介して、塵埃を含む空気を吸引する電動送風機とを備え、
上記第１の収容体は、上記集塵装置の第１分離筐体の被係止部および上記第２分離筐体の少なくとも１個の被係止部を同時に係止する第１係止部と、第２分離筐体の他の被係止部を係止する第２係止部とを有していることを特徴とする電気掃除機。
【発明の詳細な説明】
【０００１】
【発明の属する技術分野】
本発明は、空気中の塵埃を濾過するフィルタを備えた集塵装置およびそれを備えた電気掃除機に関するものである。
【０００２】
【従来の技術】
従来から、吸引した空気中の塵埃を紙パックで除去する電気掃除機が知られているが、使用に伴う吸引力の低下や紙パックの使用量（ゴミ消費量）などを懸念して、近年では、サイクロン集塵方式を採用した電気掃除機が種々提案されるようになってきている（例えば、特許文献１参照）。
【０００３】
このサイクロン集塵方式では、電動送風機によって吸引した空気を旋回させ、旋回時に生ずる遠心力によって空気中に含まれる塵埃を分離し、残りの空気をそのまま排気するため、使用開始時の空気の吸引力をある程度維持することができる。また、空気と分離された塵埃は、ダストカップにゴミとして集められ、最後は中身だけを捨てることができるので、紙パックを不要とすることができる。
【０００４】
ところで、このようなサイクロン方式を採用した電気掃除機において、上述した遠心分離によってもなお空気中に残る塵埃（特に細かい塵埃）を除去すべく、サイクロン集塵部から排出される空気をさらにフィルタに通すことにより、空気を清浄化する構成が知られている。以下、この種の電気掃除機について、図１２ないし図１５に基づいて説明する。
【０００５】
図１２は、フィルタ機構を備えた従来の電気掃除機の概略の構成を示している。この電気掃除機は、掃除機本体１０１と、ホース１０２と、サイクロン集塵機１０３と、接続パイプ１０４と、吸込口体１０５とを備えている。また、図１３は、掃除機本体１０１の内部構成の概略を示しているが、掃除機本体１０１は、電動送風機１１１と、フィルタ装置１１２とを有している。
【０００６】
上記の構成において、電動送風機１１１が駆動されると、塵埃を含んだ空気が吸込口体１０５から吸引され、接続パイプ１０４を介してサイクロン集塵機１０３に供給される。サイクロン集塵機１０３では、気流の高速旋回により、空気中の塵埃のほとんどが遠心分離されるとともに、塵埃分離後の空気がホース１０２を介して掃除機本体１０１のフィルタ装置１１２に供給される。フィルタ装置１１２では、供給された空気中に含まれるさらに細かい塵埃が濾過され、ほぼ完全に塵埃の除去された空気が装置外部に排出される。
【０００７】
次に、上記したフィルタ装置１１２の構成について、さらに詳細に説明する。
図１４（ａ）および図１４（ｂ）は、フィルタ装置１１２の外観構成を示している。フィルタ装置１１２は、空気中の塵埃を濾過するフィルタ１２１と、フィルタ１２１が装填される筐体１２２とを有している。筐体１２２は、同一の回動軸１２３にて軸支される２つの分離筐体１２２ａ・１２２ｂで構成されており、一方の分離筐体が他方の分離筐体に対して相対的に回動することにより、筐体１２２が開閉するようになっている。図１５は、分離筐体１２２ｂが分離筐体１２２ａに対して相対的に回動することによって、筐体１２２が開状態となっている場合を示している。
【０００８】
分離筐体１２２ａには、空気流入口１２４が設けられており、サイクロン集塵機１０３からの空気は、ホース１０２および空気流入口１２４を介して筐体１２２内に導かれる。一方、分離筐体１２２ｂには、空気流出口１２５が設けられており、フィルタ装置１１２内に供給された空気が、フィルタ１２１および空気流出口１２５を介して筐体１２２外部に排出される。
【０００９】
また、分離筐体１２２ａにおける分離筐体１２２ｂとの接合面とは反対側の面には、上記反対側の面から上下方向にはみ出す形状の平板部１２６が貼り合わされている。この平板部１２６の上側の端部１２６ａは、掃除機本体１０１内部に設けられた係止部１１３ａ（図１３参照）によって係止され、下側の端部１２６ｂは、同じく掃除機本体１０１内部に設けられた係止部１１３ｂ（図１３参照）によって係止される。また、平板部１２６は、分離筐体１２２ａの空気流入口１２４に対応する孔１２６ｃを有している。
【００１０】
一方、分離筐体１２２ｂには、分離筐体１２２ａに対する固定およびその解除を行う固定解除部１２７が形成されている。この固定解除部１２７は、分離筐体１２２ａ側に設けられた凸部１２８が嵌め込まれる固定孔１２９を有している。したがって、分離筐体１２２ｂを分離筐体１２２ａに貼り合わせる方向に回動させて、凸部１２８を固定孔１２９に嵌め込むことにより、筐体１２２を閉状態とすることができる。一方、固定孔１２９を若干引き上げるか、もしくは凸部１２８を押し込むことにより、凸部１２８と固定孔１２９との嵌め込みを解除し、ツマミ１３０を持って分離筐体１２２ｂを上記とは逆方向に回動させることにより、筐体１２２を開状態とすることができる。
【００１１】
【特許文献１】
特開平１０−８５１５９号公報（１９９８年４月７日公開）
【００１２】
【発明が解決しようとする課題】
ところが、上記したフィルタ装置１１２の構成では、掃除機本体１０１の係止部１１３ａ・１１３ｂによって係止される被係止部１２６ａ・１２６ｂが両方とも、分離筐体１２２ａに形成されているため、掃除機本体１０１内では、一方の分離筐体１２２ａのみが掃除機本体１０１に係止され、他方の分離筐体１２２ｂは、掃除機本体１０１に係止されない状態となる。
【００１３】
このため、他方の分離筐体１２２ｂが、掃除機本体１０１内への収容時には固定解除部１２７により分離筐体１２２ａに固定されていたとしても、使用による電動送風機１１１の振動等により、その固定が解除されてしまい、掃除機本体１０１内部で筐体１２２が開状態となる場合がある。その場合には、フィルタ装置１１２に供給された空気が、開状態となった筐体１２２の隙間から外部に漏れるので、上記空気に含まれる塵埃をフィルタ１２１にて除去することができないという問題が生ずる。
【００１４】
また、フィルタ装置１１２を用いる上記従来の電気掃除機では、筐体１２２が完全に閉状態となっていない場合でも、そのような状態のままフィルタ装置１１２を掃除機本体１０１内に収容することが可能な構造となっている。そのため、使用者がこれに気付かずに電気掃除機を使用してしまうと、フィルタ装置１１２に供給された空気が、やはり、開状態となった筐体１２２の隙間から外部に漏れるので、上記と同様に、上記空気に含まれる塵埃をフィルタ１２１にて除去することができないという問題が生ずる。
【００１５】
本発明は、上記の問題点を解決するためになされたものであり、その目的は、掃除機本体内に収容された後は、フィルタが装填される筐体が上記本体内部で開状態となることがなく、空気中に含まれる塵埃を上記フィルタにて確実に除去することができる集塵装置およびそれを備えた電気掃除機を提供することにある。
【００１６】
また、本発明の他の目的は、フィルタが装填される筐体が開状態となっている場合に、その状態のまま筐体を掃除機本体内に収容すれば、使用者に何らかの注意を促すことができ、これにより、使用者による電気掃除機の誤使用を未然に防止して、空気中に含まれる塵埃を上記フィルタにて確実に除去することができる集塵装置およびそれを備えた電気掃除機を提供することにある。
【００１７】
【課題を解決するための手段】
本発明によれば、フィルタが装填される筐体が、互いに分離可能な第１分離筐体と第２分離筐体とからなっている。第１分離筐体および第２分離筐体は、例えば、同一の回転軸に軸支され、互いに回動できるようになっていてもよいし、互いの平行移動により離接できるようになっていてもよい。
【００１８】
このとき、本発明では、第１分離筐体および第２分離筐体の両方が被係止部を備えているので、当該装置を収容する収容体（例えば電気掃除機本体）に筐体を収容したときには、第１分離筐体および第２分離筐体の両方が、上記の各被係止部を介して収容体に係止される。これにより、収容体内では、第１分離筐体および第２分離筐体の両方が移動できない状態（回動もしくは平行移動できない状態）となる。
【００１９】
したがって、たとえ収容体が何らかの原因で振動しても、それによって第１分離筐体と第２分離筐体とが筐体の収容時の状態から離間することがなく、それゆえ、筐体に供給される空気が筐体外部に漏れることがない。その結果、筐体の収容体への収容後は、確実に、筐体に供給される空気に含まれる塵埃を筐体内のフィルタにて除去することができる。
【００２０】
また、本発明の集塵装置を収容する収容体と、電動送風機とを備えた電気掃除機を構成すれば、収容体内での集塵漏れのない、信頼性の高い電気掃除機を提供することができる。なお、本発明の集塵装置は、例えば、電動送風機により吸引した空気を高速旋回させることによって塵埃を遠心分離するサイクロン集塵機の後段に適用することが可能であり、また、サイクロン集塵機を用いずに、電動送風機により、直接、上記集塵装置を介して空気を吸引する方式の電気掃除機にも、勿論、適用可能である。
【００２１】
また、本発明では、上記収容体の蓋部内面には、収容体の係止部（回動可能な第２係止部）が第２分離筐体の被係止部を係止する回動位置にあるときに、その係止を解除する回動方向への第２係止部の回動を阻止するように、収容体に対する蓋部の閉状態で第２係止部を押圧する押圧部が形成されている。したがって、蓋部の閉状態では、押圧部の押圧により、第２係止部が係止解除の方向に回動できない状態となるので、一旦、集塵装置を収容体に収容して、蓋部を閉じてしまえば、その後は、収容体内で筐体が開状態となることはない。よって、掃除機の使用中は、集塵装置の筐体に供給される空気が筐体外に漏れるのを確実に防止することができ、上記空気に含まれる塵埃を筐体内のフィルタにて確実に除去することができる。
【００２２】
そして、さらに、本発明では、第２係止部には、当該第２係止部が収容体に対する集塵装置の非係止状態に対応する回動位置にあるときに、上記押圧部と当接することによって蓋部を開状態とさせる突起部が形成されている。ここで、第２係止部が上記回動位置にあるときとは、例えば、筐体が開状態となっているために、集塵装置を適切な位置で収容体内に収容することができず、第２係止部が上記被係止部を係止できない状態にあるときを想定することができる。このようなときには、上記押圧部と上記突起部とが当接することによって蓋部が開状態となるので、掃除機の使用者に掃除機の誤使用を警告することができ、そのような誤使用を未然に防止して、集塵装置に供給される空気中に含まれる塵埃を確実に除去することができる。
【００２３】
【発明の実施の形態】
〔実施の形態１〕
本発明の実施の一形態について、図１（ａ）（ｂ）ないし図６に基づいて説明すれば、以下の通りである。
【００２４】
図２は、本発明に係る電気掃除機の概略の構成を示している。本発明の電気掃除機は、掃除機本体１と、ホース２と、サイクロン集塵機３と、接続パイプ４と、吸込口体５とを備えている。
【００２５】
掃除機本体１は、図３に示すように、電動送風機１１と、フィルタ装置１２（集塵装置）とを収容する収容体である。電動送風機１１は、サイクロン集塵機３およびフィルタ装置１２を介して、塵埃を含む空気を吸引するものである。フィルタ装置１２は、サイクロン集塵機３から供給される空気に含まれる塵埃を除去する。なお、フィルタ装置１２は、本発明の最も特徴的な部分であり、その詳細については後述する。
【００２６】
ホース２は、サイクロン集塵機３から掃除機本体１のフィルタ装置１２に空気を供給するための連通路となるものであり、あらゆる方向に曲げることのできる蛇腹の筒で構成されている。
【００２７】
サイクロン集塵機３は、電動送風機１１によって吸引した空気を旋回させ、旋回時に生ずる遠心力によって上記空気中に含まれる塵埃を分離する。上記空気中から遠心分離された塵埃は、集塵機本体に対して取り外し可能なダストカップ（図示せず）に溜められ、最後は中身だけがゴミとして捨てられる。
【００２８】
接続パイプ４は、吸込口体５から吸引した空気をサイクロン集塵機３に供給するための円筒状のパイプである。吸込口体５は、床面と対向する位置に吸込口を有しており、この吸込口から空気が吸引される。
【００２９】
上記の構成において、電動送風機１１が駆動されると、塵埃を含んだ空気が吸込口体５から吸引され、接続パイプ４を介してサイクロン集塵機３に供給される。サイクロン集塵機３では、気流の高速旋回により、空気中の塵埃のほとんどが遠心分離されるとともに、塵埃分離後の空気がホース２を介して掃除機本体１のフィルタ装置１２に供給される。フィルタ装置１２では、供給された空気中に含まれるさらに細かい塵埃が濾過され、ほぼ完全に塵埃の除去された空気が外部に排出される。
【００３０】
次に、フィルタ装置１２の詳細について説明する。
図１（ａ）および図１（ｂ）は、本発明のフィルタ装置１２を異なる方向から見たときの当該フィルタ装置１２の外観構成を示している。フィルタ装置１２は、フィルタ２１と、筐体２２とを有している。フィルタ２１は、空気中の塵埃を濾過するものであり、スポンジや濾紙で構成されている。
【００３１】
筐体２２は、フィルタ２１が装填されるものであり、同一の回動軸２３にて軸支される２つの分離筐体３１（第１分離筐体）および分離筐体４１（第２分離筐体）で構成されている。したがって、筐体２２は、分離筐体３１および分離筐体４１の、回動軸２３を中心とする相対的な回動によって開閉する。図４は、分離筐体４１が分離筐体３１に対して回動することによって、筐体２２が開状態となっている場合を示している。以下、分離筐体３１・４１の構成について説明する。
【００３２】
分離筐体３１は、筐体本体３２を有している。筐体本体３２は、互いに対向する上面３２ａおよび下面３２ｂと、これらの端部同士を連結し、互いに対向する側面３２ｃ・３２ｄと、これらの面で囲まれる矩形の領域を塞ぐように形成される面３２ｅとからなっている。面３２ｅは、分離筐体４１との接合面とは反対側に形成されている。なお、下面３２ｂとは、回動軸２３にて軸支される面を指しており、その下面３２ｂに対向する面が上面３２ａとなっている。
【００３３】
面３２ｅには、空気流入口３３が設けられている。サイクロン集塵機３からの空気は、ホース２および空気流入口３３を介してフィルタ装置１２内に導かれる。また、上面３２ａのほぼ中央位置には、分離筐体４１の後述する固定孔４５が嵌る凸部３４が設けられている。
【００３４】
一方、分離筐体４１は、筐体本体４２を有している。筐体本体４２は、フィルタ２１を介して互いに対向する上面４２ａおよび下面４２ｂと、これらの端部同士を連結し、同じくフィルタ２１を介して互いに対向する側面４２ｃ・４２ｄと、これらの面で囲まれる矩形の領域を塞ぐように形成される面４２ｅとからなっている。面４２ｅは、分離筐体３１との接合面とは反対側に形成されている。なお、下面４２ｂとは、回動軸２３にて軸支される面を指しており、その下面４２ｂに対向する面が上面４２ａとなっている。
【００３５】
面４２ｅには、空気流出口４３が設けられている。フィルタ装置１２内に供給された空気は、フィルタ２１および空気流出口４３を介して装置外部に排出される。
【００３６】
また、分離筐体４１には、分離筐体３１に対する固定およびその解除を行う固定解除部４４が形成されている。この固定解除部４４は、筐体本体４２の上面４２ａにおける回転軸２３の軸方向のほぼ中央位置から、分離筐体３１の筐体本体３２の壁面（上面３２ａ）に沿うように平板状に延設されている。また、固定解除部４４は、ほぼその中央位置に、分離筐体３１に設けられた上記の凸部３４が嵌め込まれる固定孔４５を有している。
【００３７】
したがって、分離筐体４１を分離筐体３１に貼り合わせる方向に回動させて、凸部３４を固定孔４５に嵌め込むことにより、図１（ａ）（ｂ）のように、筐体２２を閉状態とすることができる。一方、固定孔４５を若干引き上げるか、もしくは凸部３４を内側に押し込むことにより、凸部３４と固定孔４５との嵌め込みを解除し、分離筐体４１を上記とは逆方向に回動させることにより、図４のように、筐体２２を開状態とすることができる。
【００３８】
なお、例えば、固定解除部４４に凸部を設け、分離筐体３１に、上記凸部が嵌る凹部を設けることで、固定解除部４４が分離筐体３１に対する分離筐体４１の固定または解除を行う構成であってもよい。
【００３９】
また、分離筐体４１の固定解除部４４もしくは上面４２ａには、操作者の使用の便宜を考慮して、ツマミ４６が設けられている。つまり、操作者は、ツマミ４６を持って分離筐体４１を回動させることにより、その回動操作を容易に行うことができる。特に、筐体２２を開く場合に、このツマミ４６を持って分離筐体４１を回動させると、その操作がしやすいものとなっている。
【００４０】
次に、フィルタ装置１２の筐体２２に設けられる被係止部について、引き続き、図１（ａ）（ｂ）および図４に基づいて説明する。
【００４１】
本実施形態のフィルタ装置１２では、分離筐体３１および分離筐体４１の両方が、フィルタ装置１２を収容する収容体である掃除機本体１に係止される被係止部３５（第１被係止部）・４７（第２被係止部）をそれぞれ備えている。
【００４２】
より詳しくは、分離筐体３１は、面３２ｅに貼り付けられる平板部３６を有している。この平板部３６は、面３２ｅから上下方向（上面３２ａおよび下面３２ｂに垂直方向）に向かって筐体本体３２外部に突出するような平板で形成されており、その下側の突出部が上記の被係止部３５となっている。一方、平板部３６における上側の突出部には、分離筐体４１の被係止部４７の形状に沿った切り込み３７（図４参照）が形成されている。また、平板部３６は、分離筐体３１の空気流入口３３に対応する孔３８を有している。
【００４３】
なお、上記の平板部３６を設けずに、分離筐体３１の筐体本体３２の下面３２ｂに、当該下面３２ｂに垂直方向に突出する突出部を設け、この突出部を被係止部３５とするようにしてもよい。つまり、本実施形態では、被係止部３５は、分離筐体３１における分離筐体４１との接合側とは反対側の面３２ｅに沿って平板状で形成されていればよい。
【００４４】
なお、筐体２２を例えば円筒状で形成することも可能であるが、この場合でも、そのような形状の筐体２２に平板部３６を貼り合わせるだけで、被係止部３６を容易に実現することが可能である。つまり、平板部３６を設ける構成は、筐体２２がどのような形状であっても対応できるというメリットがある。
【００４５】
一方、分離筐体４１の被係止部４７は、固定解除部４４に設けられている。詳しくは、被係止部４７は、筐体２２の閉状態において、分離筐体３１の被係止部３５の位置する平面と同一平面上に位置するように、固定解除部４４の端部（筐体本体４２側とは反対側の端部）に立設されている。分離筐体３１の平板部３６には、上述のように被係止部４７の形状に沿った切り込み３７が形成されているため、筐体２２の閉状態では、被係止部４７が切り込み３７に収まることで、被係止部３５と被係止部４７とが同一平面上に位置するようになる。
【００４６】
次に、上記構成のフィルタ装置１２を収容する掃除機本体１の内部構造の詳細について、図５に基づいて説明する。図５は、掃除機本体１内部の概略の構成を示すとともに、フィルタ装置１２を収容した状態を示している。
【００４７】
掃除機本体１は、フィルタ装置１２の分離筐体３１の被係止部３５を係止する係止部５１（第１係止部）と、分離筐体４１の被係止部４７を係止する係止部５２（第２係止部）とを有している。
【００４８】
係止部５１は、収容されるフィルタ装置１２の回動軸２３の軸方向に沿って形成された断面略Ｖ字形もしくは凹状の溝であり、分離筐体３１の被係止部３５がこの溝に嵌め込まれることによって、被係止部３５と一体構成される分離筐体３１が掃除機本体１内で係止される。
【００４９】
係止部５２は、自身の回動により、分離筐体４１の被係止部４７の係止およびその解除を行うものであり、例えばバネのような付勢手段により、被係止部４７を係止するような回動方向（図中矢印方向）に付勢されるクランプで構成されている。この係止部５２は、掃除機本体１内で支持部５３により支持されている。
【００５０】
また、掃除機本体１は、掃除機本体１に対するフィルタ装置１２の着脱時に開閉する蓋部５４をさらに有している。そして、蓋部５４の内面には、押圧部５５が形成されている。押圧部５５は、同図のように係止部５２が分離筐体４１の被係止部４７を係止する回動位置にあるときに、その係止を解除する回動方向への係止部５２の回動を阻止するように、掃除機本体１に対する蓋部５４の閉状態で係止部５２を押圧するものである。
【００５１】
また、本実施形態では、係止部５２には、突起部５６が形成されている。突起部５６は、係止部５２が掃除機本体１に対するフィルタ装置１２の非係止状態に対応する回動位置にあるときに、押圧部５５と当接することによって蓋部５４を開状態とさせる。ここで、係止部５２が上記回動位置にあるときとは、例えば、図６のように、筐体２２が開状態となっているために、フィルタ装置１２を適切な位置で掃除機本体１内に収容することができず、係止部５２が分離筐体４１の被係止部４７を係止していない状態にあるときや、フィルタ装置１２を掃除機本体１内に最初から収容していない状態を想定することができる。このようなときには、突起部５６が押圧部５５と当接することにより、蓋部５４が掃除機本体１に対して開状態となる。
【００５２】
また、掃除機本体１には、掃除機本体１内で分離筐体３１を分離筐体４１方向に押圧するとともに、ホース２の先端がフィルタ装置１２の空気流入口３３に差し込まれたときに、ホース２とフィルタ装置１２との間における気密性を保持するためのパッキン５７が設けられている。これにより、ホース２からフィルタ装置１２に供給される空気のフィルタ装置１２外部への漏洩を防止することができる。また、パッキン５７によって分離筐体３１が分離筐体４１に押圧されるため、掃除機本体１内では、このパッキン５７と係止部５１・５２とによって、筐体２２を閉状態で確実に支持することができる。
【００５３】
次に、本発明のフィルタ装置１２の掃除機本体１に対する着脱動作について説明する。
【００５４】
まず、分離筐体３１に対して分離筐体４１を回動させて筐体２２を開状態とし（図４参照）、筐体２２内部にフィルタ２１を装填した後、分離筐体４１を上記とは逆方向に回動させて筐体２２を閉状態にする（図１（ａ）（ｂ）参照）。このとき、分離筐体４１の固定解除部４４の固定孔４５を分離筐体３１の凸部３４に嵌めこみ、分離筐体３１と分離筐体４１とが離れないようにする。
【００５５】
フィルタ装置１２を掃除機本体１内に収容するときは、掃除機本体１の蓋部５４を開き、係止部５１の溝にフィルタ装置１２の分離筐体３１の被係止部３５を嵌め込んで、係止部５１にて被係止部３５を係止させる一方、係止部５２を回動させて、分離筐体４１の被係止部４７を係止部５２にて係止させる。この状態では、図５に示すように、筐体２２が閉状態を保っており、また、蓋部５４内面の押圧部５５と、係止部５２の突起部５６とが当接しないので、蓋部５４は掃除機本体１に対して閉状態となっている。
【００５６】
一方、フィルタ装置１２を掃除機本体１から取り出すときは、蓋部５４を開き、係止部５２を回動させて、係止部５２と被係止部４７との係止を解除し、係止部５１の溝から被係止部３５を抜けば、フィルタ装置１２を掃除機本体１から取り出すことができる。
【００５７】
以上のように、本実施形態では、分離筐体３１および分離筐体４１の両方が、フィルタ装置１２を収容する掃除機本体１に係止される被係止部３５・４７をそれぞれ備えている。つまり、分離筐体３１が、掃除機本体１内の係止部５１によって係止される被係止部３５を有しており、分離筐体４１が、掃除機本体１内の係止部５２によって係止される被係止部４７を有している。
【００５８】
これにより、フィルタ装置１２を収容したときには、被係止部３５が係止部５１によって係止され、被係止部４７が係止部５２によって係止されることで、筐体２２全体が掃除機本体１内で係止されるので、掃除機本体１内では、分離筐体３１および分離筐体４１が、両方とも移動（回動）できない状態となる。したがって、たとえ、電動送風機１１の振動や外部からの衝撃等により、掃除機本体１が振動しても、それによって分離筐体３１と分離筐体４１とが、筐体２２の収容時の状態から離間することがない。それゆえ、筐体２２に供給される空気が筐体２２外部に漏洩することもない。その結果、筐体２２の掃除機本体１への収容後は、筐体２２に供給される空気に含まれる塵埃を筐体２２内のフィルタ２１にて確実に除去することができる。
【００５９】
特に、本実施形態では、同一の回動軸２３にて軸支される分離筐体３１・４１の各被係止部３５・４７が、フィルタ装置１２の掃除機本体１への収容時に、筐体２２の閉状態で掃除機本体１に係止される。このことは、言い換えれば、筐体２２が閉状態でなければ、フィルタ装置１２を掃除機本体１内に収容することができないことを意味する。この構成により、フィルタ装置１２の収容当初から、筐体２２に供給される空気が筐体２２外部に漏洩するのを確実に防ぐことができる。
【００６０】
また、分離筐体４１と分離筐体３１との固定は、分離筐体４１の固定解除部４４により行われる。つまり、固定解除部４４の固定孔４５が分離筐体３１の凸部３４に嵌ることで、分離筐体４１が分離筐体３１に固定される。このとき、本実施形態では、分離筐体４１の被係止部４７が、上記の固定解除部４４に設けられているので、被係止部４７が掃除機本体１の係止部５２によって係止されたときに、同時に、固定孔４５が凸部３４から外れにくくなり、固定解除部４４による分離筐体４１の分離筐体３１に対する固定が、より確実なものとなる。その結果、被係止部４７が係止部５２にて係止された後は、筐体２２が掃除機本体１内で開状態となるのを確実に防止することができる。
【００６１】
また、本実施形態では、分離筐体４１は、回動軸２３に軸支される下面４２ｂ（第１の面）と、フィルタ２１を介して下面４２ｂに対向する上面４２ａ（第２の面）とを有しており、上記の固定解除部４４が、上面４２ａから分離筐体３１の壁面（上面３２ａ）に沿って延設されている。つまり、分離筐体４１において回動軸２３から最も遠い距離にある面（上面４２ａ）から、分離筐体３１の上面３２ａを覆うように、上記の固定解除部４４が設けられている。
【００６２】
回動軸２３を中心とする回動半径が大きい位置であればあるほど、微小な回動角度に対する移動距離が大きくなるため、微小な回動角度でも、分離筐体３１と分離筐体４１との間に隙間が形成されやすくなる。そこで、上記のように、回動半径が最も大きくなる面（上面４２ａ）に固定解除部４４を設け、分離筐体３１と分離筐体４１とを固定することにより、上記隙間の形成を確実に阻止して、筐体２２外部への空気の漏れを確実に防ぐことができる。
【００６３】
また、本実施形態では、分離筐体３１の被係止部３５は、分離筐体３１における分離筐体４１との接合側とは反対側の面３２ｅに沿って平板状で形成されており、分離筐体４１の被係止部４７は、被係止部３５の位置する平面と同一平面上に位置するように、平板状で形成されている。
【００６４】
既存の電気掃除機に用いられている紙パックやフィルタ装置は、その吸引口に取り付けられた平板を上下から挟むようにして掃除機本体に装着されるので、本実施形態のように、被係止部３５・４７が同一の平面上に位置するように平板状で形成されていれば、既存の電気掃除機にも本発明のフィルタ装置１２を適用することができるという利点がある。このとき、被係止部３５・４７の大きさや厚さ等は、現在の電気掃除機に適用されている規格に基づいて適宜設定されればよい。
【００６５】
また、本実施形態の電気掃除機は、上述したフィルタ装置１２と、フィルタ装置１２を収容する掃除機本体１と、掃除機本体１に設けられ、フィルタ装置１２を介して塵埃を含む空気を吸引する電動送風機１１とを備えており、掃除機本体１が、フィルタ装置１２の分離筐体３１の被係止部３５を係止する係止部５１と、分離筐体４１の被係止部４７を係止する係止部５２とを有している。これにより、掃除機本体１へのフィルタ装置１２の収容時は、フィルタ装置１２の分離筐体３１・４１が両方とも係止部５１・５２によって係止されるので、掃除機本体１内では、筐体２２が開状態となることがなく、フィルタ装置１２にて空気漏れの生じない、信頼性の高い電気掃除機を提供することができる。
【００６６】
また、本実施形態の電気掃除機は、掃除機本体１に対するフィルタ装置１２の着脱時に開閉する蓋部５４を備えており、この蓋部５４の内面には、上述した押圧部５５が形成されている。これにより、蓋部５４の閉状態では、押圧部５５の押圧により、係止部５２が係止解除の方向に回動できない状態となる。したがって、一旦、フィルタ装置１２を掃除機本体１内に収容して、蓋部５４を閉じてしまえば、その後は、掃除機本体１内で筐体２２が開状態となることはない。よって、電気掃除機の使用中は、フィルタ装置１２の筐体２２に供給される空気が筐体２２外に漏れるのを確実に防止することができ、上記空気に含まれる塵埃を筐体２２内のフィルタ２１にて確実に除去することができる。
【００６７】
そして、さらに、係止部５２には、上述した突起部５６が形成されているので、係止部５２がフィルタ装置１２の非係止状態に対応する回動位置（例えば図６のように筐体２２が開状態となっているときの回動位置）にあるときは、蓋部５４の内面の押圧部５５と、係止部５２に設けられた突起部５６とが当接することによって、蓋部５４が掃除機本体１に対して開状態となる。したがって、電気掃除機の使用者に、筐体２２が開状態となっている等、このまま電気掃除機を使用すれば誤使用となることを警告することができ、そのような誤使用を未然に防止することができる。
【００６８】
以上のことから、本実施形態の構成によれば、▲１▼フィルタ装置１２を掃除機本体１内の適切な位置（筐体２２が係止部５１・５２で係止される位置）に収容しなければ、蓋部５４を閉じることができない、▲２▼フィルタ装置１２の筐体２２が開状態であると、フィルタ装置１２を掃除機本体１に収容できず、蓋部５４を閉じることもできない、▲３▼掃除機本体１にフィルタ装置１２を収容した後は、掃除機本体１内部で筐体２２が開状態とはならない、という３要素を備えた電気掃除機を提供することができると言える。
【００６９】
また、本実施形態の電気掃除機は、サイクロン集塵機３を備えており、電動送風機１１が、サイクロン集塵機３およびフィルタ装置１２を介して、塵埃を含む空気を吸引するので、これら両者の塵埃除去手段により、空気中の塵埃をほとんど除去することができる。また、サイクロン集塵機３を使用していることにより、吸引力の低下防止等の効果も勿論得ることができる。
【００７０】
なお、本実施形態のフィルタ装置１２は、サイクロン集塵機機３を用いず、吸引した空気を直接フィルタ装置１２に供給し、フィルタ装置１２にて上記空気に含まれる塵埃を除去するタイプの電気掃除機にも勿論適用することが可能である。
【００７１】
〔実施の形態２〕
本発明の他の実施の形態について、図７ないし図９に基づいて説明すれば、以下の通りである。なお、実施の形態１と同一の構成については同一の部材番号を付記し、その説明を省略する。
【００７２】
本実施形態では、実施の形態１で説明した電気掃除機に適用されるフィルタ装置の他の構成例について説明する。なお、フィルタ装置以外の構成については、実施の形態１と全く同様であるので、その説明を省略する。図７および図８は、本実施形態に係るフィルタ装置６１の外観構成を示しており、図９は、フィルタ装置６１を掃除機本体１内に収容した状態を示している。
【００７３】
フィルタ装置６１は、フィルタ６２と、筐体６２とを有している。フィルタ６２は、実施の形態１のフィルタ２１と同様に、空気中の塵埃を濾過するものであり、スポンジや濾紙で構成されている。
【００７４】
筐体６３は、フィルタ６２が装填されるものであり、互いの平行移動により分離可能な分離筐体７１（第１分離筐体）および分離筐体８１（第２分離筐体）で構成されている。したがって、筐体６３は、分離筐体７１および分離筐体８１の相対的な平行移動により開閉する。以下、分離筐体７１・８１の構成について、主に図８に基づいて説明する。
【００７５】
分離筐体７１は、筐体本体７２を有している。筐体本体７２は、互いに対向する上面７２ａおよび下面７２ｂと、これらの端部同士を連結し、互いに対向する側面７２ｃ・７２ｄと、これらの面で囲まれる矩形の領域を塞ぐように形成される面７２ｅとからなっている。面７２ｅは、分離筐体８１との接合面とは反対側に形成されている。
【００７６】
面７２ｅには、空気流入口７３が設けられている。サイクロン集塵機３からの空気は、ホース２および空気流入口７３を介してフィルタ装置６１内に導かれる。また、上面７２ａのほぼ中央位置には、分離筐体８１の後述する固定孔８５が嵌る凸部７４が設けられており、下面７２ｂには、分離筐体８１の後述する各固定孔８６が嵌る各凸部７５が並設されている。
【００７７】
一方、分離筐体８１は、筐体本体８２を有している。筐体本体８２は、フィルタ６２を介して互いに対向する上面８２ａおよび下面８２ｂと、これらの端部同士を連結し、同じくフィルタ６２を介して互いに対向する側面８２ｃ・８２ｄと、これらの面で囲まれる矩形の領域を塞ぐように形成される面８２ｅとからなっている。面８２ｅは、分離筐体７１との接合面とは反対側に形成されている。
【００７８】
面８２ｅには、空気流出口（図示せず）が設けられている。フィルタ装置６１内に供給された空気は、フィルタ６２および空気流出口を介して装置外部に排出される。
【００７９】
また、分離筐体８１には、分離筐体７１に対する固定およびその解除を行う固定解除部８３・８４が形成されている。固定解除部８３は、分離筐体８１の筐体本体８２の上面８２ａから、分離筐体７１の壁面（上面７２ａ）に沿って平板状に延設されている。また、固定解除部８４は、本実施形態では、所定間隔を置いて２個並設されており、そのそれぞれは、分離筐体８１の筐体本体８２の下面８２ｂから、分離筐体７１の壁面（下面７２ａ）に沿って平板状に延設されている。これにより、固定解除部８３・８４は、分離筐体７１を、筐体本体７２の上面７２ａおよび下面７２ｂから挟持するものとなっている。
【００８０】
また、固定解除部８３は、分離筐体７１の上面７２ａに設けられた凸部７４が嵌め込まれる固定孔８５を有している。一方、２個の固定解除部８４は、分離筐体７１の下面７２ｂに設けられた凸部７５が嵌め込まれる固定孔８６をそれぞれ有している。
【００８１】
したがって、分離筐体８１を分離筐体７１に貼り合わせる方向に平行移動させ、凸部７４を固定孔８５に嵌め込むとともに、各凸部７５を各固定孔８６に嵌め込むことで、図７のように、筐体６３を閉状態とすることができる。一方、固定孔８５・８６を若干引き上げるか、もしくは凸部７４・７５を内側に押し込むことにより、凸部７４と固定孔８５との嵌め込みを解除するとともに、各凸部７５と各固定孔８６との嵌め込みを解除し、分離筐体８１を上記とは逆方向に平行移動させれば、図８のように、筐体６３を開状態とすることができる。
【００８２】
なお、例えば、固定解除部８３・８４に凸部を設け、分離筐体７１に、上記凸部が嵌る凹部を設けることで、固定解除部８３・８４が分離筐体７１に対する分離筐体８１の固定または解除を行う構成であってもよい。
【００８３】
また、分離筐体８１の固定解除部８３もしくは上面８２ａには、操作者の使用の便宜を考慮して、ツマミ８７が設けられている点は、実施の形態１と同様である。
【００８４】
次に、フィルタ装置６１の筐体６３に設けられる被係止部について説明する。
本実施形態のフィルタ装置６１では、分離筐体７１が、掃除機本体１に係止される被係止部７６（第１被係止部）を備えているとともに、分離筐体８１が、掃除機本体１に係止される被係止部８８（第２被係止部）・８９（第２被係止部）を備えている。
【００８５】
より詳しくは、分離筐体７１は、当該分離筐体７１における分離筐体８１との接合面とは反対側の面７２ｅに貼り付けられる平板部７７を有している。この平板部７７は、面７２ｅから上下方向（上面７２ａおよび下面７２ｂに垂直方向）に向かって、筐体本体７２外部に突出するような平板で形成されており、その下側の突出部が上記の被係止部７６となっている。
【００８６】
また、平板部７７における被係止部７６の両端は、分離筐体８１の２個の被係止部８９の形状に沿った切り欠き７８・７８となっている。一方、平板部７７における上側の突出部には、分離筐体８１の被係止部８８の形状に沿った切り込み７９が形成されている。また、平板部７７は、分離筐体７１の空気流入口７３に対応する孔８０を有している。
【００８７】
なお、上記の平板部７７を設けずに、分離筐体７１の下面７２ｂに、当該下面７２ｂに垂直方向に突出する突出部を設け、この突出部を被係止部７６とするようにしてもよい。つまり、本実施形態では、被係止部７６は、分離筐体７１における分離筐体８１との接合側とは反対側の面７２ｅに沿って平板状で形成されていればよい。
【００８８】
一方、分離筐体８１の被係止部８８は、固定解除部８３に設けられている。詳しくは、被係止部８８は、筐体６３の閉状態において、分離筐体７１の被係止部７６の位置する平面と同一平面上に位置するように、固定解除部８３端部（筐体本体８２側とは反対側の端部）に立設されている。分離筐体７１の平板部７７には、上述のように被係止部８８の形状に沿った切り込み７９が形成されているため、筐体６３の閉状態では、被係止部８８が切り込み７９に収まることで、被係止部７６と被係止部８８とが同一平面上に位置するようになる。
【００８９】
また、分離筐体８１の各被係止部８９は、各固定解除部８４にそれぞれ設けられている。詳しくは、各被係止部８９は、筐体６３の閉状態において、分離筐体７１の被係止部７６の位置する平面と同一平面上に位置するように、各固定解除部８４の各端部（筐体本体８２側とは反対側の各端部）に立設されている。分離筐体７１の平板部７７には、上述のように各被係止部８９の形状に沿った２個の切り欠き７８が形成されているため、筐体６３の閉状態では、各被係止部８９がそれぞれ各切り欠き７８に収まることで、被係止部７６と各被係止部８９とが同一平面上に位置するようになる。つまり、筐体６３の閉状態では、被係止部７６の両側に各被係止部８９が位置することとなり、被係止部７６と各被係止部８９とが隣接した位置関係となる。
【００９０】
したがって、本実施形態では、筐体６３の閉状態では、被係止部７６、被係止部８８・８９は、全て、同一平面上に位置することになる。
【００９１】
次に、本発明のフィルタ装置６１の掃除機本体１に対する着脱動作について説明する。
【００９２】
まず、分離筐体７１に対して分離筐体８１を平行移動させて筐体６３を開状態とし（図８参照）、内部にフィルタ６２を装填した後、分離筐体８１を上記とは逆方向に平行移動させて筐体６３を閉状態にする（図７参照）。このとき、分離筐体８１の固定解除部８３の固定孔８５を分離筐体７１の凸部７４に嵌め込むとともに、各固定解除部８４の各固定孔８６を各凸部７５に嵌め込むことで、分離筐体７１と分離筐体８１とが離れないようにする。
【００９３】
フィルタ装置６１を掃除機本体１内に収容するときは、掃除機本体１の蓋部５４を開き、係止部５１の溝に、フィルタ装置６１の分離筐体７１の被係止部７６と分離筐体８１の各被係止部８９とを嵌め込んで、係止部５１にて被係止部７６・８９を係止させる一方、係止部５２を回動させて、分離筐体８１の被係止部８８を係止部５２にて係止させる。この状態では、図９に示すように、分離筐体７１・８１が貼り合わされた状態を保っており、また、蓋部５４内面の押圧部５５と、係止部５２の突起部５６とが当接しないので、蓋部５４は掃除機本体１に対して閉状態となっている。
【００９４】
一方、フィルタ装置６１を掃除機本体１から取り出すときは、蓋部５４を開き、係止部５２を回動させて、係止部５２と被係止部８８との係止を解除し、係止部５１の溝から被係止部７６・８９・８９を抜けば、フィルタ装置６１を掃除機本体１から取り出すことができる。
【００９５】
以上のように、本実施形態では、分離筐体７１が掃除機本体１内の係止部５１によって係止される被係止部７６を有しており、分離筐体８１が掃除機本体１内の係止部５１によって係止される被係止部８９を有しているとともに、係止部５２によって係止される被係止部８８を有している。
【００９６】
このように、分離筐体７１・８１の両方が、掃除機本体１内で係止される被係止部７６・８８・８９を有しているので、フィルタ装置６１を収容したときには、筐体７２全体が掃除機本体１内で係止される。これにより、掃除機本体１内では、分離筐体７１および分離筐体８１が、両方とも平行移動できない状態となる。したがって、たとえ、電動送風機１１の振動や外部からの衝撃等により、掃除機本体１が振動しても、それによって分離筐体７１と分離筐体８１とが筐体２２の収容時の状態から離間することがない。それゆえ、筐体６３に供給される空気が筐体６３外部に漏洩することもない。その結果、本実施形態のような平行分離タイプの筐体６３を用いてフィルタ装置６１を構成した場合でも、フィルタ装置６１の掃除機本体１への収容後は、確実に、筐体６３に供給される空気に含まれる塵埃を筐体６３内のフィルタ６２にて除去することができる。
【００９７】
特に、本実施形態では、互いの平行移動により離接可能な分離筐体７１・８１の各被係止部７６・８８・８９が、フィルタ装置６１の掃除機本体１への収容時に、分離筐体７１・８１を貼り合わせた状態で、掃除機本体１内で係止される。逆に言えば、筐体６３が閉状態でなければ、フィルタ装置６１を掃除機本体１内に収容することができない。したがって、フィルタ装置６１の収容当初から、筐体６３に供給される空気が筐体６３外部に漏洩するのを確実に防ぐことができる。
【００９８】
また、分離筐体８１と分離筐体７１との固定は、分離筐体８１の固定解除部８３と各固定解除部８４とにより行われるが、本実施形態では、分離筐体８１の被係止部８８・８９が、これに対応する固定解除部８３・８４にそれぞれ設けられているので、各被係止部８８・８９が掃除機本体１の係止部５２・５１によってそれぞれ係止されたときに、同時に、固定解除部８３・８４の各固定孔８５・８６が、対応する各凸部７４・７５から外れにくくなる。よって、固定解除部８３と各固定解除部８４とによる分離筐体８１の分離筐体７１に対する固定が、より確実なものとなり、フィルタ装置６１が掃除機本体１内に収容された後は、筐体６３が掃除機本体１内で開状態となるのを確実に防止することができる。
【００９９】
また、本実施形態では、分離筐体８１は、フィルタ６２を介して互いに対向する２つの面である上面８２ａおよび下面８２ｂを有しており、固定解除部８３が、上面８２ａから分離筐体７１の壁面（上面７２ａ）に沿って延設されているとともに、各固定解除部８４が、上面８２ａから分離筐体７１の壁面（下面７２ｂ）に沿って延設されている。これにより、筐体６３の閉状態では、分離筐体７１が固定解除部８３・８４によって挟持される状態となり、その閉状態を確実にかつ容易に維持することができる。
【０１００】
また、本実施形態では、分離筐体７１の被係止部７６は、分離筐体７１における分離筐体８１との接合側とは反対側の面７２ｅに沿って平板状で形成されており、分離筐体８１の被係止部８８・８９は、筐体６３の閉状態で、被係止部７６の位置する平面と同一平面上に位置するように、平板状で形成されている。よって、実施の形態１と同様に、既存の電気掃除機にも本発明のフィルタ装置６１を適用することができるという利点がある。このとき、被係止部７６・８８・８９の大きさや厚さ等は、現在の電気掃除機に適用されている規格に基づいて適宜設定されればよい。
【０１０１】
また、本実施形態の電気掃除機は、上述したフィルタ装置６１と、フィルタ装置６１を収容する掃除機本体１と、掃除機本体１に設けられ、フィルタ装置６１を介して塵埃を含む空気を吸引する電動送風機１１とを備えており、掃除機本体１が、フィルタ装置６１の分離筐体７１の被係止部７６と分離筐体８１の被係止部（被係止部８９）を係止する係止部５１と、分離筐体８１の他の被係止部（被係止部８８）を係止する係止部５２とを有している。これにより、掃除機本体１へのフィルタ装置６１の収容時は、フィルタ装置６１の分離筐体７１・８１が両方とも係止部５１・５２によって係止されるので、掃除機本体１内では、筐体６３が開状態となることがなく、フィルタ装置６１にて空気漏れの生じない、信頼性の高い電気掃除機を提供することができる。
【０１０２】
このとき、係止部５１は、筐体６３の閉状態で、分離筐体７１の被係止部７６と、これと隣接する位置にある分離筐体８１の各被係止部８９とを両方とも係止するので、この１個の係止部５１だけでも、分離筐体７１・８１の相互の離間を防止することができる。
【０１０３】
また、本実施形態のフィルタ装置６１は、実施の形態１の電気掃除機の掃除機本体１、すなわち、蓋部５４に押圧部５５が形成されており、係止部５２に突起部５６が形成された掃除機本体１に適用することができるので、押圧部５５を設けることおよび突起部５６を設けることによる実施の形態１と同様の効果を得ることができる。
【０１０４】
よって、以上のことから、本実施形態の構成においても、▲１▼フィルタ装置６１を掃除機本体１内の適切な位置（筐体６３が係止部５１・５２で係止される位置）に収容しなければ、蓋部５４を閉じることができない、▲２▼フィルタ装置６１の筐体６３が開状態であると、フィルタ装置６１を掃除機本体１に収容できず、蓋部５４を閉じることもできない、▲３▼掃除機本体１にフィルタ装置６１を収容した後は、掃除機本体１内部で筐体６３が開状態とはならない、という３要素を備えた電気掃除機を提供することができると言える。
【０１０５】
また、本実施形態の電気掃除機は、サイクロン集塵機３を備えており、電動送風機１１が、サイクロン集塵機３およびフィルタ装置６１を介して、塵埃を含む空気を吸引するので、これら両者の塵埃除去手段により、空気中の塵埃をほとんど除去することができる。また、サイクロン集塵機３を使用していることにより、吸引力の低下防止等の効果も勿論得ることができる。
【０１０６】
なお、本実施形態のフィルタ装置６１は、サイクロン集塵機機３を用いず、吸引した空気を直接フィルタ装置６１に供給し、フィルタ装置６１にて上記空気に含まれる塵埃を除去するタイプの電気掃除機にも勿論適用することが可能である。
【０１０７】
なお、本実施形態では、分離筐体８１の下面に、２個の固定解除部８４を設けるとともに、これらに２個の被係止部８９を設ける構成としたが、上記の２個に限定されるわけではない。被係止部８９の形状に対応する切り欠きもしくは切り込みを平板部７７に形成し、被係止部７６と被係止部８９とが同一平面上に形成される構成であれば、固定解除部８４および被係止部８９の個数には特に限定されず、それぞれ１個であっても３個以上であってもよい。したがって、掃除機本体１の係止部５１は、分離筐体８１の被係止部８９のうち、少なくとも１個を係止すればよいと言える。
【０１０８】
〔実施の形態３〕
本発明の他の実施の形態について、図１０および図１１に基づいて説明すれば、以下の通りである。なお、実施の形態１・２と同一の構成または同一の機能を有する構成については同一の部材番号を付記し、その説明を省略する。
【０１０９】
図１０は、本実施形態に係る電気掃除機の概略の構成を示している。本実施形態の電気掃除機は、実施の形態１で示したサイクロン集塵機３に連結される収容体９５（第１の収容体）を備えており、この収容体９５に実施の形態１のフィルタ装置１２（またはフィルタ装置６１）が収容されている。一方、収容体９５とは異なる収容体であり、収容体９５とホース２を介して連結される掃除機本体１（第２の収容体）に、電動送風機１１が設けられている。したがって、電動送風機１１は、サイクロン集塵機３、収容体９５内のフィルタ装置１２（またはフィルタ装置６１）およびホース２を介して、塵埃を含む空気を吸引することになる。
【０１１０】
ここで、図１１は、収容体９５内部の概略の構成を示すとともに、フィルタ装置１２を収容体９５内に収容した状態を示しているが、フィルタ装置６１を収容したときも同様の状態となる。収容体９５は、実施の形態１の掃除機本体１内に設けられる、係止部５１・５２、支持部５３、蓋部５４、押圧部５５、突起部５６およびパッキン５７と同一の機能を有する部材を備えている。
【０１１１】
なお、収容体９５内部の各部材の配置は、例えば図５で示したものと上下が逆になっている。これは、電気掃除機の取手部９６と蓋部５４とが対向すると、取手部９６が蓋部５４の開閉を妨げるため、そのような不都合を回避すべく、取手部９６とは反対側に蓋部５４を形成したことによる。したがって、そのような蓋部５４の形成位置に対応して、残りの各部材を形成しているため、図１１での各部材の配置は、図５とは上下が逆になっている。
【０１１２】
本実施形態のように、電動送風機１１が収容される掃除機本体１とは異なる収容体９５をサイクロン集塵機３に連結して、この収容体９５に実施の形態１のフィルタ装置１２または実施の形態２のフィルタ装置６１を収容することにより、掃除機本体１にフィルタ装置１２・６１を設けない分だけ、掃除機本体１を小型化および軽量化することができる。これにより、掃除機本体１の移動性を格段に向上させることができ、使用者が扱いやすい電気掃除機を提供することができる。
【０１１３】
また、掃除機本体１の小型化、軽量化により、例えばショルダータイプの電気掃除機にも本発明を適用することができ、商品展開の範囲を大幅に広げることもできる。
【０１１４】
以上のことから、本実施形態の電気掃除機は、以下のように表現することができる。
すなわち、本実施形態の電気掃除機は、フィルタ装置１２（集塵装置）と、フィルタ装置１２を収容する収容体９５（第１の収容体）と、収容体９５と連結され、吸引した空気を旋回させ、旋回時に生ずる遠心力によって上記空気中に含まれる塵埃を分離するサイクロン集塵機３と、収容体９５とは異なる収容体である掃除機本体１（第２の収容体）に設けられ、サイクロン集塵機３および収容体９５を介して、塵埃を含む空気を吸引する電動送風機１１とを備え、収容体９５は、フィルタ装置１２の分離筐体３１の被係止部３５を係止する係止部５１と、分離筐体４１の被係止部４７を係止する係止部５２とを有している構成である。
【０１１５】
また、本実施形態の電気掃除機は、フィルタ装置６１（集塵装置）と、フィルタ装置６１を収容する収容体９５（第１の収容体）と、収容体９５と連結され、吸引した空気を旋回させ、旋回時に生ずる遠心力によって上記空気中に含まれる塵埃を分離するサイクロン集塵機３と、収容体９５とは異なる収容体である掃除機本体１（第２の収容体）に設けられ、サイクロン集塵機３および収容体９５を介して、塵埃を含む空気を吸引する電動送風機１１とを備え、収容体９５は、フィルタ装置６１の分離筐体７１の被係止部７６および分離筐体８１の少なくとも１個の被係止部８９を係止する係止部５１と、分離筐体８１の被係止部８８を係止する係止部５２とを有している構成である。
【０１１６】
【発明の効果】
本発明の集塵装置によれば、フィルタが装填される筐体を構成する第１分離筐体および第２分離筐体の両方が、被係止部を備えているので、当該装置を収容する収容体に筐体を収容したときには、第１分離筐体および第２分離筐体の両方が、上記の各被係止部を介して収容体に係止される。これにより、収容体内では、第１分離筐体および第２分離筐体の両方が移動できない状態となる。
【０１１７】
したがって、たとえ収容体が振動しても、それによって第１分離筐体と第２分離筐体とが筐体の収容時の状態から離間することがなく、それゆえ、筐体に供給される空気が筐体外部に漏れることがない。その結果、筐体の収容体への収容後は、確実に、筐体に供給される空気に含まれる塵埃を筐体内のフィルタにて除去することができる。
【０１１８】
また、本発明の集塵装置を収容する収容体と、電動送風機とを備えた電気掃除機を構成すれば、収容体内での集塵漏れのない、信頼性の高い電気掃除機を提供することができる。
【０１１９】
また、本発明の電気掃除機では、蓋部の閉状態では、押圧部の押圧により、第２係止部が係止解除の方向に回動できない状態となるので、一旦、集塵装置を収容体に収容して、蓋部を閉じてしまえば、その後は、収容体内で筐体が開状態となることはない。よって、電気掃除機の使用中は、集塵装置の筐体に供給される空気が筐体外に漏れるのを確実に防止することができ、上記空気に含まれる塵埃を筐体内のフィルタにて確実に除去することができる。
【０１２０】
そして、さらに、本発明の電気掃除機では、第２係止部が収容体に対する集塵装置の非係止状態に対応する回動位置にあるときに、蓋部内面の押圧部と第２係止部の突起部とが当接することによって蓋部が開状態となるので、電気掃除機の使用者に掃除機の誤使用を警告することができ、そのような誤使用を未然に防止して、集塵装置に供給される空気中に含まれる塵埃を確実に除去することができる。
【図面の簡単な説明】
【図１】（ａ）および（ｂ）は、本発明の実施の一形態に係るフィルタ装置を互いに異なる方向から見たときの、当該フィルタ装置の外観を示す斜視図である。
【図２】上記フィルタ装置が適用される電気掃除機の概略の構成を示す説明図である。
【図３】上記電気掃除機の掃除機本体の内部構成の一例を示す断面図である。
【図４】筐体が開状態となっている上記フィルタ装置の斜視図である。
【図５】図１（ａ）（ｂ）のフィルタ装置を収容した上記掃除機本体の内部を拡大して示す断面図である。
【図６】上記掃除機本体の内部で上記フィルタ装置の筐体が開状態となっていることに起因して蓋部が開状態となっている上記掃除機本体の断面図である。
【図７】本発明の他の実施の形態に係るフィルタ装置の外観を示す斜視図である。
【図８】筐体が開状態となっている上記フィルタ装置の斜視図である。
【図９】図７のフィルタ装置を収容した掃除機本体の内部を拡大して示す断面図である。
【図１０】本発明のさらに他の実施の形態に係る電気掃除機の概略の構成を示す説明図である。
【図１１】上記電気掃除機のサイクロン集塵機に連結され、本発明のフィルタ装置が収容される収容体内部の概略の構成を示す断面図である。
【図１２】サイクロン集塵機を備えた従来の電気掃除機の概略の構成を示す説明図である。
【図１３】上記電気掃除機の掃除機本体の内部構成の一例を示す断面図である。
【図１４】（ａ）および（ｂ）は、上記掃除機本体に収容されるフィルタ装置を互いに異なる方向から見た場合の、当該フィルタ装置の外観を示す斜視図である。
【図１５】筐体が開状態となっている上記フィルタ装置の斜視図である。
【符号の説明】
１    掃除機本体（収容体、第２の収容体）
３    サイクロン集塵機
１１    電動送風機
１２    フィルタ装置（集塵装置）
２１    フィルタ
２２    筐体
２３    回動軸
３１    分離筐体（第１分離筐体）
３２ａ  上面（第１分離筐体の壁面）
３５    被係止部（第１被係止部）
４１    分離筐体（第２分離筐体）
４２ａ  上面（第２の面）
４２ｂ  下面（第１の面）
４４    固定解除部
４７    被係止部（第２被係止部）
５１    係止部（第１係止部）
５２    係止部（第２係止部）
５４    蓋部
５５    押圧部
５６    突起部
６１    フィルタ装置（集塵装置）
６２    フィルタ
６３    筐体
７１    分離筐体（第１分離筐体）
７２ａ  上面（第１分離筐体の壁面）
７２ｂ  下面（第１分離筐体の壁面）
７６    被係止部（第１被係止部）
８１    分離筐体（第２分離筐体）
８２ａ  上面
８２ｂ  下面
８３    固定解除部
８４    固定解除部
８８    被係止部（第２被係止部）
８９    被係止部（第２被係止部）
９５    収容体（第１の収容体）
【図１】
2004166892.tif 000003
【図２】
2004166892.tif 000004
【図３】
2004166892.tif 000005
【図４】
2004166892.tif 000006
【図５】
2004166892.tif 000007
【図６】
2004166892.tif 000008
【図７】
2004166892.tif 000009
【図８】
2004166892.tif 000010
【図９】
2004166892.tif 000011
【図１０】
2004166892.tif 000012
【図１１】
2004166892.tif 000013
【図１２】
2004166892.tif 000014
【図１３】
2004166892.tif 000015
【図１４】
2004166892.tif 000016
【図１５】
2004166892.tif 000017